(57)【特許請求の範囲】
【請求項１】
コンバータ回路（１）の少なくとも１つの相電圧源（３）によって励振されるアークを除去するための方法であって、当該方法において、コンバータ回路（１）は、コンバータユニット（２）とエネルギ蓄積回路（４）とを有し、少なくとも１つの相電圧源（３）は、コンバータユニット（２）の交流電圧側に接続され、コンバータユニット（２）は、多数の作動可能な電力用半導体スイッチを有し、
コンバータ回路（１）の動作中に、発生するアークが検出され、その後少なくとも１つの相電圧源（３）が短絡され、
アークを検出するために、コンバータ回路（１）の状態変数が、状態変数のあらかじめ決定可能なしきい値について観察されることと、
状態変数とあらかじめ決定可能なしきい値とが一致しない場合、少なくとも１つの相電圧源（３）を短絡させるためにコンバータユニット（２）を介して少なくとも１つの短絡経路が形成されるように、コンバータユニット（２）の作動可能な電力用半導体スイッチのうち少なくともいくつかが作動されることとを特徴とする、方法。
【請求項２】
エネルギ蓄積回路（４）はコンバータユニット（２）の直流電圧側に接続され、状態変数は、エネルギ蓄積回路（４）の両端の電圧であり、状態変数のあらかじめ決定可能なしきい値は、エネルギ蓄積回路（４）の両端の電圧のあらかじめ決定可能なしきい値であり、エネルギ蓄積回路（４）の両端の電圧があらかじめ決定可能なしきい値をアンダーシュートする場合、少なくとも１つの相電圧源（３）を短絡させるためにコンバータユニット（２）を介して少なくとも１つの短絡経路が形成されるように、コンバータユニット（２）の作動可能な電力用半導体スイッチのうち少なくともいくつかが作動されることを特徴とする、請求項１に記載の方法。
【請求項３】
状態変数は、コンバータユニット（２）の交流電圧側の位相接続（Ａ）における電圧であり、状態変数のあらかじめ決定可能なしきい値は、コンバータユニット（２）の交流電圧側の位相接続（Ａ）における電圧のあらかじめ決定可能なしきい値であり、コンバータユニット（２）の交流電圧側の位相接続（Ａ）における電圧があらかじめ決定可能なしきい値をアンダーシュートする場合、少なくとも１つの相電圧源（３）を短絡させるためにコンバータユニット（２）を介して少なくとも１つの短絡経路が形成されるように、コンバータユニット（２）の作動可能な電力用半導体スイッチのうち少なくともいくつかが作動されることを特徴とする、請求項１に記載の方法。
【請求項４】
コンバータ回路（１）の少なくとも１つの相電圧源（３）によって励振されるアークを除去するための方法であって、当該方法において、コンバータ回路は、コンバータユニット（２）とエネルギ蓄積回路（４）とを有し、少なくとも１つの相電圧源（３）は、コンバータユニット（２）の交流電圧側に接続され、エネルギ蓄積回路（４）は、コンバータユニット（２）の直流電圧側に接続され、コンバータユニット（２）は、多数の作動可能な電力用半導体スイッチを有し、
コンバータ回路（１）の動作中に、発生するアークが検出され、その後少なくとも１つの相電圧源（３）が短絡され、
アークを検出するために、コンバータ回路の周囲環境が、アーク光の発生について視覚的に観察されることと、
アーク光が発生した場合には、少なくとも１つの相電圧源（３）を短絡させるためにコンバータユニット（２）を介して少なくとも１つの短絡経路が形成されるように、コンバータユニット（２）の作動可能な電力用半導体スイッチのうち少なくともいくつかが作動されることとを特徴とする、方法。
【発明の詳細な説明】
【技術分野】
【０００１】
説明
技術分野
本発明は、パワーエレクトロニクスの分野に関する。独立請求項の序文に係る、コンバータ回路の少なくとも１つの相電圧源によって励振されるアークを除去するための方法に基づく。
【背景技術】
【０００２】
先行技術
コンバータ回路は、今日では典型的にコンバータユニットを有し、前記コンバータユニットの交流電圧側には少なくとも２つの位相接続が設けられ、それにより対応する交流電圧を提供するための相電圧源を前記位相接続に接続することが可能となる。コンバータユニットの直流電圧側では、コンバータ回路は、たとえば１つ以上の容量性エネルギ蓄積装置によって形成されるエネルギ蓄積回路を典型的に備える。
【０００３】
コンバータ回路の動作中、すなわちコンバータユニットの交流電圧側からコンバータユニットの直流電圧側に電気エネルギが流れ、交流電圧がその過程で整流されている場合、またはコンバータユニットの直流電圧側からコンバータユニットの交流電圧側に電気エネルギが流れ、直流電圧がその過程で反転されている場合、故障の結果、相電圧源によって電流に関して励振されるアークが、たとえばコンバータユニットの交流電圧側、さもなければコンバータユニットの直流電圧側で生じることが起こり得る。そのようなアークは極めて望ましくない。なぜなら、コンバータユニットだけでなく、コンバータ回路全体を破損したり、破壊すらする可能性があるからである。
【０００４】
一般に、相電圧源を短絡させるために、位相接続においてメカニカルスイッチが使用される。発生するアークがコンバータ回路において検出された場合、相電圧源によって電流に関して励振されるアークを除去するために相電圧源を短絡させるために、メカニカルスイッチが閉じられる。しかし、そのようなメカニカルスイッチは、応答時間が遅く、物理的サイズが非常に大きく、高度な保守を必要とし、コンバータ回路の設計の複雑度が高い。
【０００５】
ＤＥ１０２００９００２６８４Ａ１に開示されているように、プラズマ負荷を供給するためのコンバータ回路においても望ましくないアークが生じる可能性がある。ＤＥ１０２００９００２６８４Ａ１の段落［０００６］および［０００７］に図１ａと合わせて記載されているように、コンバータ回路のＭＦコイルＬ１，Ｌ２によってアークが生成される。ＤＥ１０２００９００２６８４Ａ１の段落［００４５］に記載されているように、コンバータ回路のＭＦコイルＬ１，Ｌ２によって生成されるアークを除去するために、出力接続１３，１４における電圧の極性が逆にされ、これに先立ち、電圧が０Ｖの領域の値に設定され、出力接続１３，１４間の電流が０Ａの領域の値に設定される。すなわち、接続されているプラズマ負荷が供給源から切離され、電源が切られる。
【発明の概要】
【発明が解決しようとする課題】
【０００６】
発明の説明
したがって発明の目的は、コンバータ回路の少なくとも１つの相電圧源によって励振されるアークを除去するための方法を特定することにあり、当該方法により、コンバータ回路で生じるアークを特に容易かつ迅速に除去することができる。
【課題を解決するための手段】
【０００７】
この目的は、請求項１の特徴または請求項４の特徴によって実現される。発明の有利な展開は従属請求項で特定される。
【０００８】
発明に係る方法において、コンバータ回路は、コンバータユニットと、少なくとも１つの相電圧源と、エネルギ蓄積回路とを有し、少なくとも１つの相電圧源は、コンバータユニットの交流電圧側に接続される。また、コンバータユニットは、多数の作動可能な電力用半導体スイッチを含む。当該方法によれば、動作中に、コンバータ回路が、発生するアークを検出し、次いで少なくとも１つの相電圧源が短絡される。発明によれば、アークを検出するために、コンバータ回路の状態変数が、状態変数のあらかじめ決定可能なしきい値について観察される。状態変数とあらかじめ決定可能なしきい値とが一致しない場合、少なくとも１つの相電圧源を短絡させるためにコンバータユニットを介して少なくとも１つの短絡経路が形成されるように、コンバータユニットの作動可能な電力用半導体スイッチのうち少なくともいくつかが作動される。発生しているアークの上述の検出と、コンバータユニットを介する少なくとも１つの短絡経路の形成とによって、発生するアークを特に容易かつ迅速に有利に消滅させ、ゆえに除去することができる。少なくとも１つの相電圧源を短絡させるための、先行技術から公知のメカニカルスイッチなどの追加的な短絡装置は必要とされない。
【０００９】
コンバータ回路の状態変数による上述の検出の代替例として、アークを検出するために、コンバータ回路の周囲環境が、アーク光の発生について視覚的に観察される。アーク光が発生した場合には、少なくとも１つの相電圧源を短絡させるためにコンバータユニットを介して少なくとも１つの短絡経路が形成されるように、コンバータユニットの作動可能な電力用半導体スイッチのうち少なくともいくつかが同様に作動される。発生しているアークのこの代替的な検出と、少なくとも１つの短絡経路のコンバータユニットを介する形成とによっても、発生しているアークを特に容易かつ迅速に有利に消滅させ、したがって除去することができる。この場合にも、追加的な短絡装置は必要とされない。
【００１０】
本発明のこれらのおよびさらなる目的、利点および特徴は、図面と合わせて、発明の好ましい実施の形態に関する以下の詳細な説明から明らかとなるであろう。
【図面の簡単な説明】
【００１１】
【図１】発明に係る方法に従った、例示される短絡電流経路を有するコンバータ回路の第１の実施の形態を示す図である。
【図２】発明に係る方法に従った、例示される短絡電流経路を有するコンバータ回路の第２の実施の形態を示す図である。
【図３】発明に係る方法に従った、例示される短絡電流経路を有するコンバータ回路の第３の実施の形態を示す図である。
【図４】発明に係る方法に従った、例示される短絡電流経路を有するコンバータ回路の第４の実施の形態を示す図である。
【発明を実施するための形態】
【００１２】
図面中で使用される参照符号およびその意味は、参照符号のリストの要約によって列挙される。原則として、同一の部品には図において同じ参照符号を付している。記載される実施の形態は、発明の主題を例として示し、いずれの限定的な効果も有さない。
【００１３】
発明を実施するための手法
図１は、発明に係る方法に従った、例示される短絡電流経路を有するコンバータ回路の第１の実施の形態を示す。図２〜図４は、コンバータ回路の第２、第３、および第４の実施の形態をそれぞれ示し、これらのコンバータ回路の各々において、発明に係る方法に従った、想定される短絡経路が例示される。図１〜図４に示されるコンバータ回路のそれぞれの想定される短絡経路は、太字で例示される。概して、コンバータ回路１は、コンバータユニット２、少なくとも１つの相電圧源３、およびエネルギ蓄積回路４を有し、少なくとも１つの相電圧源３は、コンバータユニット２の交流電圧側に接続される。相電圧源３の接続は、コンバータユニット２の交流電圧側の位相接続Ａにおいて行われる。図１〜図４に示されるコンバータ回路はすべて三相設計を有するため、いずれの場合も三相電圧源３も設けられ、概して、上述したように、少なくとも１つの相電圧源３が設けられる。さらに、コンバータユニット２は概して多数の作動可能な電力用半導体スイッチを有し、図１によれば、作動可能な電力用半導体スイッチとしてサイリスタが使用され、図２によれば、ゲート転流型ターンオフサイリスタ（integrated gate-commutated thyristors）（ＩＧＣＴｓ）が使用される。対照的に、図３に示されるコンバータ回路の場合、好ましくは絶縁ゲートバイポーラトランジスタ（ＩＧＢＴ）およびサイリスタが作動可能な電力用半導体スイッチとして使用され、想定される短絡経路はその場合、図３に例示されるサイリスタを介して動作する。好ましくは、図４に示されるコンバータ回路の場合も、作動可能な電力用半導体スイッチとしてＩＧＣＴを使用することができ、その場合、想定される短絡経路はＩＧＣＴを介して動作する。
【００１４】
当該方法によれば、動作中にアークが発生した場合、このアークが検出され、その後少なくとも１つの相電圧源３が短絡される。そのようなアークは故障の結果として生じることがあり、アークは、少なくとも１つの相電圧源３によって、電流に関して典型的に励振される。発明によれば、アークを検出するために、状態変数のあらかじめ決定可能なしきい値について、コンバータ回路１の状態変数が観察される。状態変数とあらかじめ決定可能なしきい値とが一致しない場合、少なくとも１つの相電圧源３を短絡させるためにコンバータユニット２を介して少なくとも１つの短絡経路が形成されるように、コンバータユニット２の作動可能な電力用半導体スイッチのうち少なくともいくつかが作動される。発生しているアークの上述の検出と、少なくとも１つの短絡経路のコンバータユニット２を介する形成とによって、発生しているアークを特に容易かつ迅速に有利に消滅させ、したがって除去することができる。追加的な短絡装置を有利に省くことができる。
【００１５】
コンバータ回路１の状態変数による上述の検出の代替例として、アークを検出するために、コンバータ回路１の周囲環境がアーク光の発生について視覚的に観察され、アーク光が発生した場合には、少なくとも１つの相電圧源３を短絡させるためにコンバータユニット２を介して再び少なくとも１つの短絡経路が形成されるように、コンバータユニット２の作動可能な電力用半導体スイッチのうち少なくともいくつかが同様に作動される。視覚的な観察のために、たとえばフォトダイオードまたは別の感光性電子部品、さもなければカメラを使用することができる。発生しているアークのこの代替的な検出と、少なくとも１つの短絡経路のコンバータユニット２を介する形成とによっても、発生しているアークを特に容易かつ迅速に有利に消滅させ、したがって除去することができる。この代替例の場合でも、追加的な短絡装置は必要とされない。
【００１６】
例として図１〜図４に例示されるように、エネルギ蓄積回路４がコンバータ回路１に関してコンバータユニットの直流電圧側に接続される場合、状態変数は、好ましくはエネルギ蓄積回路４の両端の電圧であり、状態変数のあらかじめ決定可能なしきい値は、エネルギ蓄積回路４の両端の電圧のあらかじめ決定可能なしきい値である。エネルギ蓄積回路は、たとえばコンデンサなどの１つ以上の容量性エネルギ蓄積装置を備える。エネルギ蓄積回路４の両端の電圧があらかじめ決定可能なしきい値をアンダーシュートする場合、少なくとも１つの相電圧源３を短絡させるためにコンバータユニット２を介して少なくとも１つの短絡経路が形成されるように、コンバータユニット２の作動可能な電力用半導体スイッチのうち少なくともいくつかが作動される。
【００１７】
状態変数であるエネルギ蓄積回路４の両端の電圧の代替例として、状態変数をコンバータユニット２の交流電圧側の位相接続Ａにおける電圧とし、状態変数のあらかじめ決定可能なしきい値を、コンバータユニット２の交流電圧側の位相接続Ａにおける電圧のあらかじめ決定可能なしきい値とすることも考えられる。コンバータユニット２の交流電圧側の位相接続Ａにおける電圧があらかじめ決定可能なしきい値をアンダーシュートする場合、少なくとも１つの相電圧源３を短絡させるためにコンバータユニット２を介して少なくとも１つの短絡経路が形成されるように、コンバータユニット２の作動可能な電力用半導体スイッチのうち少なくともいくつかが作動される。
【００１８】
図３および図４に示されるコンバータ回路の場合、状態変数であるエネルギ蓄積回路４の両端の電圧の代替例として、または状態変数であるコンバータユニット２の交流電圧側の位相接続Ａにおける電圧の代替例として、状態変数を、コンバータユニット２の、図３および図４に例示されるようにコンバータ回路要素５の両端の電圧とし、状態変数のあらかじめ決定可能なしきい値を、コンバータ回路要素５の両端の電圧のあらかじめ決定可能なしきい値とすることも考えられる。不一致の場合、特にコンバータ回路要素５の両端の電圧があらかじめ決定可能なしきい値をアンダーシュートする場合、少なくとも１つの相電圧源３を短絡させるためにコンバータユニット２を介して少なくとも１つの短絡経路が形成されるように、コンバータユニット２の作動可能な電力用半導体スイッチのうち少なくともいくつかが作動される。
【００１９】
参照符号のリスト
【符号の説明】
【００２０】
１  コンバータ回路
２  コンバータユニット
３  相電圧源
４  エネルギ蓄積回路
５  コンバータ回路要素
Ａ  位相接続
【図１】
0005876938.tif 000002
【図２】
0005876938.tif 000003
【図３】
0005876938.tif 000004
【図４】
0005876938.tif 000005